(57)【特許請求の範囲】
【請求項１】
第１の電極及び第２の電極を有する容量手段と、
前記第１の電極に入力端子が電気的に接続されたインバータと、
前記インバータの入力端子に一方の端子が電気的に接続され、且つ前記インバータの出力端子に他方の端子が電気的に接続された第１のスイッチと、
前記第２の電極に一方の端子が電気的に接続された第２のスイッチと、
前記第２の電極に一方の端子が電気的に接続された第３のスイッチとを有し、
第１の期間において、前記第２のスイッチをオンすることにより前記第２の電極にデータ信号を入力し、
前記第１の期間前の第２の期間において、前記第１のスイッチをオンし、且つ前記第３のスイッチをオンすることにより前記第２の電極に前記データ信号の反転信号を入力することを特徴とする半導体装置。
【請求項２】
第１の電極及び第２の電極を有する容量手段と、
前記第１の電極に入力端子が電気的に接続された第１のインバータと、
前記第１のインバータの入力端子に一方の端子が電気的に接続され、且つ前記第１のインバータの出力端子に他方の端子が電気的に接続された第１のスイッチと、
前記第２の電極に一方の端子が電気的に接続された第２のスイッチと、
前記第２の電極に一方の端子が電気的に接続された第３のスイッチと、
前記第１のインバータの出力端子に入力端子が電気的に接続された第２のインバータと、
前記第２のインバータの入力端子に出力端子が電気的に接続され、且つ前記第２のインバータの出力端子に入力端子が電気的に接続されたクロックドインバータとを有し、
第１の期間において、前記第２のスイッチをオンすることにより前記第２の電極にデータ信号を入力し、
前記第１の期間前の第２の期間において、前記第１のスイッチをオンし、且つ前記第３のスイッチをオンすることにより前記第２の電極に前記データ信号の反転信号を入力することを特徴とする半導体装置。
【請求項３】
第１の電極及び第２の電極を有する容量手段と、
前記第１の電極に入力端子が電気的に接続された第１のインバータと、
前記第１のインバータの入力端子に一方の端子が電気的に接続され、且つ前記第１のインバータの出力端子に他方の端子が電気的に接続された第１のスイッチと、
前記第２の電極に一方の端子が電気的に接続された第２のスイッチと、
前記第２の電極に一方の端子が電気的に接続された第３のスイッチと、
前記第１のインバータの出力端子に入力端子が電気的に接続された第２のインバータと、
前記第１のインバータの入力端子に出力端子が電気的に接続され、且つ前記第１のインバータの出力端子に入力端子が電気的に接続されたクロックドインバータとを有し、
第１の期間において、前記第２のスイッチをオンすることにより前記第２の電極にデータ信号を入力し、
前記第１の期間前の第２の期間において、前記第１のスイッチをオンし、且つ前記第３のスイッチをオンすることにより前記第２の電極に前記データ信号の反転信号を入力することを特徴とする半導体装置。
【請求項４】
画素回路と、
前記画素回路の動作を制御する駆動回路とを有し、
前記駆動回路は、
第１の電極及び第２の電極を有する容量手段と、
前記第１の電極に入力端子が電気的に接続されたインバータと、
前記インバータの入力端子に一方の端子が電気的に接続され、且つ前記インバータの出力端子に他方の端子が電気的に接続された第１のスイッチと、
前記第２の電極に一方の端子が電気的に接続された第２のスイッチと、
前記第２の電極に一方の端子が電気的に接続された第３のスイッチとを有し、
取り込み期間において、前記第２のスイッチをオンすることにより前記第２の電極にデータ信号を入力し、
前記取り込み期間前のリセット期間において、前記第１のスイッチをオンし、且つ前記第３のスイッチをオンすることにより前記第２の電極に前記データ信号の反転信号を入力することを特徴とするアクティブマトリクス型表示装置。
【請求項５】
画素回路と、
前記画素回路の動作を制御する駆動回路とを有し、
前記駆動回路は、
第１の電極及び第２の電極を有する容量手段と、
前記第１の電極に入力端子が電気的に接続された第１のインバータと、
前記第１のインバータの入力端子に一方の端子が電気的に接続され、且つ前記第１のインバータの出力端子に他方の端子が電気的に接続された第１のスイッチと、
前記第２の電極に一方の端子が電気的に接続された第２のスイッチと、
前記第２の電極に一方の端子が電気的に接続された第３のスイッチと、
前記第１のインバータの出力端子に入力端子が電気的に接続された第２のインバータと、
前記第２のインバータの入力端子に出力端子が電気的に接続され、且つ前記第２のインバータの出力端子に入力端子が電気的に接続されたクロックドインバータとを有し、
取り込み期間において、前記第２のスイッチをオンすることにより前記第２の電極にデータ信号を入力し、
前記取り込み期間前のリセット期間において、前記第１のスイッチをオンし、且つ前記第３のスイッチをオンすることにより前記第２の電極に前記データ信号の反転信号を入力することを特徴とするアクティブマトリクス型表示装置。
【請求項６】
画素回路と、
前記画素回路の動作を制御する駆動回路とを有し、
前記駆動回路は、
第１の電極及び第２の電極を有する容量手段と、
前記第１の電極に入力端子が電気的に接続された第１のインバータと、
前記第１のインバータの入力端子に一方の端子が電気的に接続され、且つ前記第１のインバータの出力端子に他方の端子が電気的に接続された第１のスイッチと、
前記第２の電極に一方の端子が電気的に接続された第２のスイッチと、
前記第２の電極に一方の端子が電気的に接続された第３のスイッチと、
前記第１のインバータの出力端子に入力端子が電気的に接続された第２のインバータと、
前記第１のインバータの入力端子に出力端子が電気的に接続され、且つ前記第１のインバータの出力端子に入力端子が電気的に接続されたクロックドインバータとを有し、
取り込み期間において、前記第２のスイッチをオンすることにより前記第２の電極にデータ信号を入力し、
前記取り込み期間前のリセット期間において、前記第１のスイッチをオンし、且つ前記第３のスイッチをオンすることにより前記第２の電極に前記データ信号の反転信号を入力することを特徴とするアクティブマトリクス型表示装置。
【発明の詳細な説明】
【技術分野】
【０００１】
本発明は、デジタル信号を取り込むデータラッチ回路に関する。また、本発明は、その
データラッチ回路を駆動回路の一部に用いたアクティブマトリクス型表示装置に関する。
また、本発明は、そのアクティブマトリクス型表示装置を用いた電子機器に関する。
【背景技術】
【０００２】
近年、液晶表示装置や発光装置などのアクティブマトリクス型表示装置は、携帯機器向
け等の需要の増加から、それらの開発が進められている。特に絶縁体上に多結晶半導体（
ｐｏｌｙ−Ｓｉ；ポリシリコン）により形成された薄膜トランジスタ（Ｔｈｉｎ  Ｆｉｌ
ｍ  Ｔｒａｎｓｉｓｔｏｒ；ＴＦＴ）を用いて画素回路及び駆動回路（以下まとめて「内
部回路」と称する。）を一体形成する技術は活発に開発が進められている。内部回路はソ
ース信号線駆動回路及びゲート信号線駆動回路等を有しており、これらの駆動回路等がマ
トリクス状に配置された画素回路を制御する。
【０００３】
また、内部回路は、ＦＰＣ（Ｆｌｅｘｉｂｌｅ  Ｐｒｉｎｔｅｄ  Ｃｉｒｃｕｉｔ）等
を介して、コントローラＩＣ等（以下「外部回路」と称する。）と接続され、その動作が
制御される。一般的に、外部回路に用いるＩＣの駆動電圧（即ち信号の振幅）は、低消費
電力化の観点から、内部回路の駆動電圧と比較して小さくなっている。現状では、外部回
路には３．３Ｖの電圧で動作するＩＣが用いられるのが一般的ではあるが、内部回路の動
作電圧は１０Ｖ程度と外部回路と比較して高い。そのため、３．３Ｖの信号を外部回路か
ら内部回路に入力する際、レベルシフト回路等で信号の振幅を１０Ｖ程度に変換する必要
がある。
【０００４】
しかし、外部回路においてレベルシフトする場合には、レベルシフトＩＣ、電源ＩＣ等
の部品の増加、消費電力の増加等の問題が生じる。一方、内部回路においてシフトレジス
タやデータラッチ回路等に入力する前にレベルシフトする場合には、レイアウト面積の増
加、消費電力の増加、高周波動作が困難等の問題が生じる。よって、外部回路からの低電
圧の振幅の信号をそのまま内部回路の駆動回路を構成するシフトレジスタやデータラッチ
回路等に入力して、正確に動作させる方式が求められている（以下、この方式を「低電圧
駆動」と称する。）。
【０００５】
アクティブマトリクス型表示装置における駆動方法としては、デジタル駆動方式とアナ
ログ駆動方式がある。デジタル駆動方式を用いる場合、内部回路を構成するソース信号線
駆動回路内には、シフトレジスタからのサンプリングパルスによって順次デジタルの映像
信号を取り込むデータラッチ回路が必要となる。
【０００６】
データラッチ回路には、低電圧信号入力を考慮したものもある（以下の特許文献１参照
。）。
【０００７】
しかし、低電圧信号入力に対応したデータラッチ回路においては、ＴＦＴの諸特性のば
らつきの影響により、誤作動してしまう場合がある。
ここで、一般的な従来型データラッチ回路を図２（Ａ）に示す。前記データラッチ回路は
クロックドインバータ２００５及びインバータ２００６を有し、前記クロックドインバー
タ２００５は直列に接続されたＰ型ＴＦＴ２００１及び２００２、並びにＮ型ＴＦＴ２０
０３及び２００４を有する。Ｐ型ＴＦＴ２００１のゲート電極にはシフトレジスタからの
サンプリングパルス（ＬＡＴ）が入力され、ソース電極は電源ＶＤＤが供給されるような
接続構造をとる。Ｎ型ＴＦＴ２００４のゲート電極にはサンプリングパルス（ＬＡＴ）の
反転パルス（ＬＡＴＢ）が入力され、ソース電極は電源ＶＳＳが供給されるような接続構
造をとる。Ｐ型ＴＦＴ２００２及びＮ型ＴＦＴ２００３のゲート電極にはデジタル信号（
ＤＡＴＡ）が入力される。また、Ｐ型ＴＦＴ２００２及びＮ型ＴＦＴ２００３のドレイン
電極はインバータ２００６に接続されている。
【０００８】
図２（Ｂ）に、図２（Ａ）の従来形データラッチ回路のタイミングチャートを示す。図
２（Ａ）及び（Ｂ）を用い従来型データラッチ回路の動作を説明する。なお、入力される
デジタル信号（以下「データ信号」と称する。）はデジタル形式であり、「１」を表現す
る電位と、「０」を表現する電位とを有する信号である。本明細書においては、如何なる
場合にも、その電位を問わず、「１」を表現する電位レベルを「Ｈレベル」、「０」を表
現する電位レベルを「Ｌレベル」と表記する。なお、特別の記載がない限り、その電位の
高低は、Ｌレベル＜Ｈレベルとする。
【０００９】
まず期間Ｔ１において、シフトレジスタからＬレベルのサンプリングパルス（ＬＡＴ）
が入力され、ＬＡＴがＬレベル、ＬＡＴＢがＨレベルとなり、Ｐ型ＴＦＴ２００１及びＮ
型ＴＦＴ２００４がオンする。この時、ＤＡＴＡがＨレベルであると、Ｐ型ＴＦＴ２００
２がオフ、且つＮ型ＴＦＴ２００３がオンし、クロックドインバータ２００５はＶＳＳを
出力する。逆に、ＤＡＴＡがＬレベルであると、Ｐ型ＴＦＴ２００２がオン、且つＮ型Ｔ
ＦＴ２００３がオフし、クロックドインバータ２００５はＶＤＤを出力する。
【先行技術文献】
【特許文献】
【００１０】
【特許文献１】特開平１１−１８４４４０号公報
【発明の概要】
【発明が解決しようとする課題】
【００１１】
前記従来型データラッチ回路において、低電圧駆動を行う場合、つまり外部回路からの
デジタル信号ＤＡＴＡをそのまま入力する場合について、その駆動を図２（Ａ）及び（Ｂ
）を用いて説明する。ここで、ＶＳＳは−２Ｖ、ＶＤＤは５Ｖ、ＬＡＴ及びＬＡＴＢのＨ
レベルは５Ｖ、Ｌレベルは−２Ｖ、ＤＡＴＡのＨレベルは３Ｖ、Ｌレベルは０Ｖとする。
【００１２】
まず期間Ｔ１において、シフトレジスタからサンプリングパルス、ＬＡＴが入力され、
ＬＡＴがＨレベル（５Ｖ）、ＬＡＴＢがＬレベル（−２Ｖ）となり、Ｐ型ＴＦＴ２００１
及びＮ型ＴＦＴ２００４がオンする。この時、ＤＡＴＡがＨレベル（３Ｖ）であると、Ｐ
型ＴＦＴ２００２がオフ、且つＮ型ＴＦＴ２００３がオンし、クロックドインバータ２０
０５はＶＳＳを出力する。しかしこの時、Ｐ型ＴＦＴ２００２の閾値電圧｜ＶＴＨ｜が２
Ｖ以下であると、Ｐ型ＴＦＴ２００２もオンしてしまいリーク電流が流れる。
【００１３】
さらに、Ｐ型ＴＦＴ２００２及びＮ型ＴＦＴ２００３の諸特性、特に閾値特性がばらつ
き、その結果、Ｐ型ＴＦＴ２００２の｜Ｖｇｓ｜＝２Ｖにおけるオン電流が、Ｎ型ＴＦＴ
２００３の｜Ｖｇｓ｜＝５Ｖにおけるオン電流を上回ると、論理が逆転し、クロックドイ
ンバータ２００５の出力は、ＶＳＳとはならず、ＶＤＤとなってしまうことになる。
【００１４】
反対にＤＡＴＡがＬレベル（０Ｖ）である場合において、Ｎ型ＴＦＴ２００３の｜ＶＴ
Ｈ｜が２Ｖ以下であると、Ｎ型ＴＦＴ２００３もオンしてしまいリーク電流が流れ、さら
には、Ｎ型ＴＦＴ２００３の｜Ｖｇｓ｜＝２Ｖにおけるオン電流が、Ｐ型ＴＦＴ２００２
の｜Ｖｇｓ｜＝５Ｖにおけるオン電流を上回ると、論理が逆転し、クロックドインバータ
２００５の出力は、ＶＤＤとはならず、ＶＳＳとなってしまうことになる。
【００１５】
本発明は上記の問題点を鑑みてなされたものであり、ＴＦＴの特性ばらつきの影響を受
けにくく、低消費電力、高周波動作が可能なデータラッチ回路を提供することを課題とす
るものである。
【課題を解決するための手段】
【００１６】
本発明は、データラッチ回路において、データ信号がＨレベルであるか又はＬレベルで
あるかを判定するインバータにおいて、前記インバータの入力端子と出力端子とを短絡す
る手段を有し、且つ、前記インバータの入力端子を容量の一方の電極と接続し、前記容量
のもう一方の電極には、データ信号又は基準電位を取り込む構成にしておく。
初めに、前記インバータの入力端子と出力端子を短絡することで、前記インバータの入力
端子と容量の一方の電極とを前記インバータの閾値電位にし、同時に、前記容量のもう一
方の電極を基準電位にしておく。
次に、基準電位にした前記容量の一方の電極にデータ信号を取り込む。これにより、前記
容量を介したインバータの入力端子の電位は閾値電位から上下に変動し、データ信号のＨ
レベル又はＬレベルの判別が可能となる。
【００１７】
よって、電源電圧幅に対してデータ信号の振幅が小さくても、ＴＦＴの特性ばらつきの
影響を受けることなく、正確に動作することができる。
【００１８】
ここで、本発明の構成を以下に記す。
本発明のデータラッチ回路は、デジタル信号を取り込むデータラッチ回路であって、第１
及び第２の電極を有する容量手段と、前記第１の電極に入力端子が接続されたインバータ
と、前記インバータの前記入力端子と出力端子との間に接続されたスイッチとを有し、リ
セット期間において、前記スイッチをオンし、且つ前記容量手段の前記第２の電極に第１
の電位を入力し、前記リセット期間後の取り込み期間において、前記容量手段の前記第２
の電極に前記デジタル信号を入力することを特徴とする。
【００１９】
また、本発明のデータラッチ回路は、デジタル信号を取り込むデータラッチ回路であっ
て、第１及び第２の電極を有する容量手段と、前記第１の電極に入力端子が接続されたイ
ンバータと、前記インバータの前記入力端子と出力端子との間に接続された第１のスイッ
チと、前記第２の電極に接続された第２のスイッチ及び第３のスイッチとを有し、リセッ
ト期間において、前記第１のスイッチをオンし、且つ前記第２のスイッチをオンすること
により前記容量手段の前記第２の電極に第１の電位を入力し、前記リセット期間後の取り
込み期間において、前記第３のスイッチをオンすることにより前記容量手段の前記第２の
電極に前記デジタル信号を入力することを特徴とするデータラッチ回路。
【００２０】
また、本発明のデータラッチ回路は、デジタル信号を取り込むデータラッチ回路であっ
て、第１及び第２の電極を有する容量手段と、前記第１の電極に入力端子が接続された第
１のインバータと、前記第１のインバータの前記入力端子と出力端子との間に接続された
スイッチと、前記第１のインバータの前記出力端子に入力端子が接続された第２のインバ
ータと、前記第２のインバータの前記入力端子及び出力端子に出力端子及び入力端子がそ
れぞれ接続されたクロックドインバータとを有し、リセット期間において、前記スイッチ
をオンし、且つ前記容量手段の前記第２の電極に第１の電位を入力し、前記リセット期間
後の取り込み期間において、前記容量手段の前記第２の電極に前記デジタル信号を入力す
ることを特徴とする。
【００２１】
また、デジタル信号を取り込むデータラッチ回路であって、第１及び第２の電極を有す
る容量手段と、前記第１の電極に入力端子が接続された第１のインバータと、前記第１の
インバータの前記入力端子と出力端子との間に接続された第１のスイッチと、前記第２の
電極に接続された第２のスイッチ及び第３のスイッチと、前記第１のインバータの前記出
力端子に入力端子が接続された第２のインバータと、前記第２のインバータの前記入力端
子及び出力端子に出力端子及び入力端子がそれぞれ接続されたクロックドインバータとを
有し、リセット期間において、前記第１のスイッチをオンし、且つ前記第２のスイッチを
オンすることにより前記容量手段の前記第２の電極に第１の電位を入力し、前記リセット
期間後の取り込み期間において、前記第３のスイッチをオンすることにより前記容量手段
の前記第２の電極に前記デジタル信号を入力することを特徴とする。
【００２２】
また、本発明のデータラッチ回路は、デジタル信号を取り込むデータラッチ回路であっ
て、第１及び第２の電極を有する容量手段と、前記第１の電極に入力端子が接続された第
１のインバータと、前記第１のインバータの前記入力端子と出力端子との間に接続された
スイッチと、前記第１のインバータの前記出力端子に入力端子が接続された第２のインバ
ータと、前記第１のインバータの前記入力端子及び前記出力端子に出力端子及び入力端子
がそれぞれ接続されたクロックドインバータとを有し、リセット期間において、前記スイ
ッチをオンし、且つ前記容量手段の前記第２の電極に第１の電位を入力し、前記リセット
期間後の取り込み期間において、前記容量手段の前記第２の電極に前記デジタル信号を入
力することを特徴とする。
【００２３】
また、本発明のデータラッチ回路は、デジタル信号を取り込むデータラッチ回路であっ
て、第１及び第２の電極を有する容量手段と、前記第１の電極に入力端子が接続された第
１のインバータと、前記第１のインバータの前記入力端子と出力端子との間に接続された
第１のスイッチと、前記第２の電極に接続された第２のスイッチ及び第３のスイッチと、
前記第１のインバータの前記出力端子に入力端子が接続された第２のインバータと、前記
第１のインバータの前記入力端子及び前記出力端子に出力端子及び入力端子がそれぞれ接
続されたクロックドインバータとを有し、リセット期間において、前記第１のスイッチを
オンし、且つ前記第２のスイッチをオンすることにより前記容量手段の前記第２の電極に
第１の電位を入力し、前記リセット期間後の取り込み期間において、前記第３のスイッチ
をオンすることにより前記容量手段の前記第２の電極に前記デジタル信号を入力すること
を特徴とする。
【００２４】
また、本発明のデータラッチ回路は、デジタル信号を取り込むデータラッチ回路であっ
て、第１及び第２の電極を有する第１の容量手段と、第３及び第４の電極を有する第２の
容量手段と、前記第１の電極及び前記第３の電極に入力端子が接続されたインバータと、
前記インバータの前記入力端子と出力端子との間に接続されたスイッチとを有し、リセッ
ト期間において、前記スイッチをオンし、且つ前記第１の容量手段の前記第２の電極に第
１の電位を入力し、且つ前記第３の容量手段の前記第４の電極に第２の電位を入力し、前
記リセット期間後の取り込み期間において、前記第１の容量手段の前記第２の電極および
前記第２の容量手段の前記第４の電極に前記デジタル信号を入力することを特徴とする。
【００２５】
また、本発明のデータラッチ回路は、デジタル信号を取り込むデータラッチ回路であっ
て、第１及び第２の電極を有する第１の容量手段と、第３及び第４の電極を有する第２の
容量手段と、前記第１の電極及び前記第３の電極に入力端子が接続されたインバータと、
前記インバータの前記入力端子と出力端子との間に接続された第１のスイッチと、前記第
２の電極に接続された第２のスイッチ及び第３のスイッチと、前記第４の電極に接続され
た第４のスイッチ及び第５のスイッチとを有し、リセット期間において、前記スイッチを
オンし、且つ前記第２のスイッチをオンすることにより前記第１の容量手段の前記第２の
電極に第１の電位を入力し、且つ前記第４のスイッチをオンすることにより前記第３の容
量手段の前記第４の電極に第２の電位を入力し、前記リセット期間後の取り込み期間にお
いて、前記第３のスイッチをオンすることにより前記第１の容量手段の前記第２の電極に
、且つ前記第５のスイッチをオンすることにより前記第２の容量手段の前記第４の電極に
前記デジタル信号を入力することを特徴とする。
【００２６】
また、本発明のデータラッチ回路は、デジタル信号を取り込むデータラッチ回路であっ
て、第１及び第２の電極を有する第１の容量手段と、第３及び第４の電極を有する第２の
容量手段と、前記第１の電極に入力端子が接続され且つ前記第３の電極に出力端子が接続
された第１のインバータと、前記第１のインバータの前記入力端子と前記出力端子との間
に接続された第１のスイッチと、第５及び第６の電極を有する第３の容量手段と、第７及
び第８の電極を有する第４の容量手段と、前記第５の電極に入力端子が接続され且つ前記
第７の電極に出力端子が接続された第２のインバータと、前記第２のインバータの前記入
力端子と前記出力端子との間に接続された第２のスイッチと、前記第４及び前記第８の電
極に入力端子が接続された第３のインバータと、前記第３のインバータの前記入力端子と
出力端子との間に接続された第３のスイッチとを有し、リセット期間において、前記第１
及び第２のスイッチをオンし、且つ前記第１の容量手段の前記第２の電極に第１の電位を
入力し、且つ前記第３の容量手段の前記第４の電極に第２の電位を入力し、前記リセット
期間後の取り込み期間において、前記第１の容量手段の前記第２の電極および前記第２の
容量手段の前記第４の電極に前記デジタル信号を入力することを特徴とする。
【００２７】
また、本発明のデータラッチ回路は、デジタル信号を取り込むデータラッチ回路であっ
て、第１及び第２の電極を有する第１の容量手段と、第３及び第４の電極を有する第２の
容量手段と、前記第１の電極に入力端子が接続され且つ前記第３の電極に出力端子が接続
された第１のインバータと、前記第１のインバータの前記入力端子と前記出力端子との間
に接続された第１のスイッチと、第５及び第６の電極を有する第３の容量手段と、第７及
び第８の電極を有する第４の容量手段と、前記第５の電極に入力端子が接続され且つ前記
第７の電極に出力端子が接続された第２のインバータと、前記第２のインバータの前記入
力端子と前記出力端子との間に接続された第２のスイッチと、前記第４及び前記第８の電
極に入力端子が接続された第３のインバータと、前記第３のインバータの前記入力端子と
出力端子との間に接続された第３のスイッチと、前記第１の電極と前記第５の電極とに接
続された第５の容量とを有し、リセット期間において、前記第１及び第２のスイッチをオ
ンし、且つ前記第１の容量手段の前記第２の電極に第１の電位を入力し、且つ前記第３の
容量手段の前記第４の電極に第２の電位を入力し、前記リセット期間後の取り込み期間に
おいて、前記第１の容量手段の前記第２の電極および前記第２の容量手段の前記第４の電
極に前記デジタル信号を入力することを特徴とする。
【００２８】
また、前記第１の電位は、前記デジタル信号の１の電位又は０の電位であってもよい。
また、前記リセット期間を前段のシフトレジスタからのサンプリングパルスを用い決定し
、前記取り込み期間を自段のシフトレジスタからのサンプリングパルスを用い決定するよ
うにしてもよい。
また、前記デジタル信号の振幅が前記データラッチ回路に用いられる電源電圧幅と比較し
て小さくしてもよい。
また、前記クロックドインバータの制御端子に、前段のシフトレジスタからの出力パルス
を用いるようにしてもよい。
また、前記データラッチ回路は薄膜トランジスタにより形成されるようにしてもよい。
【発明の効果】
【００２９】
本発明のデータラッチ回路は、電源電圧幅に対して入力信号の振幅が小さくても、ＴＦ
Ｔの諸特性のばらつきの影響を受けることなく、正確に動作することができる。よって、
外部回路からの信号をレベルシフトする必要がなく、低消費電力化、レイアウト面積の縮
小、コストダウンを実現することができる。
【図面の簡単な説明】
【００３０】
【図１】図１は、本発明の一実施形態を示す図である。
【図２】図２は、従来型データラッチ回路を示す図である。
【図３】図３は、一般的なインバータのＶＩＮ−ＶＯＵＴ特性を示す図である。
【図４】図４は、外部回路及び表示パネルの概要を示す図である。
【図５】図５は、ソース信号線駆動回路の一構成例を示す図である。
【図６】図６は、本発明の一実施形態を示す図である。
【図７】図７は、本発明の一実施形態を示す図である。
【図８】図８は、本発明の一実施形態を示す図である。
【図９】図９は、本発明を適用可能な電子機器の例を示す図である。
【図１０】図１０は、一般的なクロックドインバータを示す図である。
【発明を実施するための形態】
【００３１】
本発明の実施形態について、以下に説明する。
【００３２】
（実施の形態１）
図１（Ａ）に本実施形態のデータラッチ回路の構成を示す。
【００３３】
本実施形態のデータラッチ回路はデータ取り込み用スイッチ１００１、リファレンス用
スイッチ１００２、閾値セット用スイッチ１００３、容量手段１００４、及び補正インバ
ータ１００５を有する。本実施形態のデータラッチ回路において、データ取り込み用スイ
ッチ１００１、リファレンス用スイッチ１００２及び容量手段１００４からなる回路ブロ
ックを「ブロックｘ」とする。また、必要に応じて、インバータ１００６を設けてもよい
。
【００３４】
データ取り込み用スイッチ１００１はＬＡＴによりオン又はオフを制御され、入力され
るＤＡＴＡをリファレンス用スイッチ１００２と容量手段１００４の第２の電極との接続
部（以下「ノードａ」という。）へ入力する。リファレンス用スイッチ１００２はＬＡＴ
−１によりオン又はオフを制御され、第１の電位（ここでは「基準電位」という。）を取
り込み、データ取り込み用スイッチ１００１と容量手段１００４の第２の電極との接続部
、即ちノードａに基準電位を出力する。補正インバータ１００５の入力端子及び出力端子
は閾値セット用スイッチ１００３を介し、電気的に接続されている。補正インバータ１０
０５の入力端子及び出力端子と閾値セット用スイッチ１００３との接続部を、それぞれ、
「ノードｂ」、「ノードｃ」という。また、前記閾値セット用スイッチ１００３のオン又
はオフはＬＡＴ−１により制御される。補正インバータ１００５は、ノードｃに接続され
たインバータ１００６にデータを出力する。
【００３５】
図１（Ｂ）に本実施形態のデータラッチ回路のタイミングチャートを示す。図１（Ａ）
及び（Ｂ）を用い、本実施形態のデータラッチ回路を低電圧駆動した場合の動作について
説明する。本実施形態においては、ＶＳＳは−２Ｖ、ＶＤＤは５Ｖ、ＬＡＴ、ＬＡＴＢ、
ＬＡＴ−１及びＬＡＴ−１ＢそれぞれのＨレベルは５Ｖ、Ｌレベルは−２Ｖ、ＤＡＴＡの
Ｈレベルは３Ｖ、Ｌレベルは０Ｖ、基準電位はＤＡＴＡのＬレベルとＨレベルとの中間電
位である１．５Ｖとする。また、期間Ｔ１に入力されるＬＡＴと、その後の期間Ｔ２に入
力されるＬＡＴ−１のパルスは重ならないことが望ましい。
【００３６】
まず期間Ｔ１においてリセット作業を行う。本データラッチ回路の前段にあるシフトレ
ジスタからサンプリングパルスＬＡＴ−１（５Ｖ）が本データラッチ回路に入力され、リ
ファレンス用スイッチ１００２及び閾値セット用スイッチ１００３がオンする。その結果
、ノードａは基準電位（１．５Ｖ）となる。ノードｂはノードｃの電位がフィードバック
され電位が動かない方向に働くので、補正インバータ１００５の閾値電位（ここでは２Ｖ
とする）となる。
【００３７】
その後、続いて期間Ｔ２に移り、本データラッチ回路は、入力されるＤＡＴＡのＨレベ
ル、Ｌレベルを判定する。前記シフトレジスタからのサンプリングパルスＬＡＴ（５Ｖ）
が本データラッチ回路へ入力され、データ取り込み用スイッチ１００１がオンする。入力
されるＤＡＴＡがＨレベル（３Ｖ）の場合、ノードａの電位が１．５Ｖから３Ｖとなる。
容量手段１００４の両端の電位差は保持されるので、ノードｂはノードａの電圧変化分程
度変化する。よって、ノードｂは２Ｖから１．５Ｖ程度上昇し、３．５Ｖ程度となる。
【００３８】
ここで、図３に一般的なインバータのＶＩＮ（入力信号電圧）−ＶＯＵＴ（出力信号電
圧）特性を示す。図３に示されているように、ＶＩＮが閾値から上下どちらかに少しでも
変動すると、ＶＯＵＴはＶＤＤ又はＶＳＳに大きく近づく。
【００３９】
よって、期間Ｔ１においてノードｂは補正インバータ１００５の閾値電位にセットされ
ているため、ノードｂの電位の変化にノードｃは敏感に反応する。この場合、ノードｂの
電位は２Ｖから３．５Ｖ程度に上昇しているため、ノードｃの電位はＶＳＳに大きく近づ
く。ノードｃの電位は、更に、インバータ１００６により整形され、その出力ＯＵＴには
ＶＤＤ（Ｈレベル）が出力される。
【００４０】
反対に、期間Ｔ２においてＤＡＴＡがＬレベル（０Ｖ）である場合、ノードａの電位が
１．５Ｖから０Ｖとなり、ノードｂの電位は２Ｖから１．５Ｖ程度下降し、０．５Ｖ程度
となる。このように、ノードｂが閾値電位から下降するため、ノードｃはＶＤＤに大きく
近づく。ノードｃの電位は、更に、インバータ１００６により整形され、その出力ＯＵＴ
にはＶＳＳ（Ｌレベル）が出力される。
【００４１】
また、基準電位が固定電位である場合は、理想的にはデータ信号（ここではＤＡＴＡ）
の振幅の中間電位が望ましいが、厳密に中間電位である必要はなく、前記データ信号の最
高電位又は最低電位と異なり、かつ、前記データ信号の振幅を出ない範囲で多少変動させ
ることが可能である。
【００４２】
また、基準電位にデータ信号ＤＡＴＡの反転信号を１データ分前にずらし、入力しても
よい。この場合、例えばＤＡＴＡがＨレベル（３Ｖ）であると、リセット期間Ｔ１にノー
ドａがＬレベル（０Ｖ）になり、取り込み期間Ｔ２にＨレベル（３Ｖ）のＤＡＴＡが入力
されると、ノードａ及びノードｂが３Ｖ程度変動し、より補正インバータ１００５が正確
に動作しやすくなる。ＤＡＴＡがＬレベル（０Ｖ）であっても、リセット期間Ｔ１にノー
ドａがＨレベル（３Ｖ）となり、取り込み期間Ｔ２にＬレベル（０Ｖ）のＤＡＴＡが入力
されるため、同様にノードａ及びノードｂが３Ｖ程度変動する。
【００４３】
本実施形態の通り、データラッチ回路において、データ信号ＤＡＴＡのＨレベル又はＬ
レベルを判定して出力するインバータの閾値電位を予め取得し、前記閾値電位から上下ど
ちらに変動するかによりデータ信号がＨレベルであるか又はＬレベルであるかの判定をす
ることにより、電源電圧幅に対して入力信号の振幅が小さくても、ＴＦＴの諸特性ばらつ
きによる閾値変動の影響を受けることなく、正確に動作することができる。よって、低消
費電力化、高周波動作が可能となる。特に、ＴＦＴの諸特性ばらつきの多い、ポリシリコ
ンＴＦＴを用いたデータラッチ回路に用いることが望ましい。
また、本発明において、前記ポリシリコンＴＦＴを作製する際の結晶化法として、レーザ
結晶化法、ＲＴＡ又はファーネスアニール炉を用いる熱結晶化法、結晶化を助長する金属
元素を用いる熱結晶化法、又はこれらの結晶化法の組み合わせ等を用いることができる。
【００４４】
（実施の形態２）
図１（Ａ）に示すデータラッチ回路を使用する際、図６（Ａ）及び（Ｂ）に示すように
クロックドインバータ６００２等を用い、保持を行ってもよいし、容量手段６００３等を
用い、保持を行ってもよい。クロックドインバータ６００２には、一般的なクロックドイ
ンバータを用いてもよい。
【００４５】
一般的なクロックドインバータを図１０に示す。クロックドインバータ１０００１は直
列に接続された第１のＰ型ＴＦＴ１０００２、第２のＰ型ＴＦＴ１０００３、第１のＮ型
ＴＦＴ１０００４及び第２のＮ型ＴＦＴ１０００５を有する。第１のＰ型ＴＦＴ１０００
２のゲート電極に入力されている端子を制御端子１とし、第２のＰ型ＴＦＴ１０００３及
び第１のＮ型ＴＦＴ１０００４のゲート電極に入力されている端子を入力端子とし、第２
のＮ型ＴＦＴ１０００５のゲート電極に入力されている端子を制御端子２とし、また第２
のＰ型ＴＦＴ１０００３及び第１のＮ型ＴＦＴ１０００４の接続部端子を出力端子とする
。
【００４６】
図６（Ａ）は図１（Ａ）に容量手段６００３及びクロックドインバータ６００２を追加
し、クロックドインバータ６００２をインバータ６００１とループ状に接続したものであ
る。クロックドインバータ６００２の制御端子１には保持用パルスＨＯＬＤが、制御端子
２には前記ＨＯＬＤの反転パルスＨＯＬＤＢが入力される。その他の部分については図１
（Ａ）と同様である。
【００４７】
図６（Ｂ）は図１（Ａ）にクロックドインバータ６１０２を追加し、クロックドインバ
ータ６１０２を補正インバータ６１０１とループ状に接続したものである。クロックドイ
ンバータ６１０２の制御端子１には保持用パルスＨＯＬＤが、制御端子２には前記ＨＯＬ
Ｄの反転パルスＨＯＬＤＢが入力される。その他の部分については図１（Ａ）と同様であ
る。
【００４８】
前記ＨＯＬＤパルスはタイミングチャート図６（Ｃ）に示す、６２０１または６２０２
等のパルスが望ましく、シフトレジスタの出力パルス等を用いるとよい。動作としては、
取り込み期間Ｔ２が終了した後、クロックドインバータ６００２又は６１０２がオンし、
保持動作を開始するようにする。
【００４９】
本実施形態の通り、クロックドインバータ等を用い保持を行うことで、所望の期間、Ｈ
レベル、Ｌレベルを正確に保持することができる。
【００５０】
（実施の形態３）
図１（Ａ）のデータラッチ回路におけるブロックｘを並列に２つ接続し、２つのリファ
レンス用スイッチにそれぞれ入力される２つの基準電位を、一方はデータ信号の最高電位
（ＤＡＴＡのＨレベルと同電位）に、他方は前記データ信号の最低電位（ＤＡＴＡのＬレ
ベルと同電位）とした場合について、図７に示す。
【００５１】
本実施形態のデータラッチ回路は、並列に接続されたブロックｙ及びブロックｙ´、ブ
ロックｙ及びブロックｙ´の一方の接続部に入力部が接続された補正インバータ７００８
、補正インバータ７００８と直列に接続されたインバータ７００９、補正インバータ７０
０８の入力端子と出力端子とに接続された閾値セット用スイッチ７００７、及びクロック
ドインバータ７００９を有する。
ブロックｙは、直列に接続された、第１のデータ取り込み用スイッチ７００１及び第１の
容量手段７００５と、それらの接続部（以下、「ノードａ」という。）に信号ＤＨを入力
する第１のリファレンス用スイッチ７００３とを有し、ブロックｙ´は直列に接続された
、第２のデータ取り込み用スイッチ７００２及び第２の容量手段７００６と、それらの接
続部（以下、「ノードａ´」という。）に信号ＤＬを入力する第２のリファレンス用スイ
ッチ７００４とを有する。
【００５２】
また、第１のデータ取り込み用スイッチ７００１及び第２のデータ取り込み用スイッチ
７００２はＬＡＴによりそのオン又はオフを制御され、ＤＡＴＡを取り込む。第１のリフ
ァレンス用スイッチ７００３、第２のリファレンス用スイッチ７００４及び閾値セット用
スイッチ７００７はＬＡＴ−１によりオン又はオフを制御されている。閾値セット用スイ
ッチ７００７は補正インバータ７００８の入力端子と出力端子との間に設けられている。
補正インバータ７００８の入力端子及び出力端子と閾値セット用スイッチ７００７との接
続部を、それぞれ、「ノードｂ」、「ノードｃ」という。また、本実施形態においては、
ＶＳＳは−２Ｖ、ＶＤＤは５Ｖ、ＬＡＴ、ＬＡＴＢ、ＬＡＴ−１及びＬＡＴ−１Ｂそれぞ
れのＨレベルは５Ｖ、Ｌレベルは０Ｖ、ＤＡＴＡのＨレベル（ＤＨ）は３Ｖ、Ｌレベル（
ＤＬ）は０Ｖとする。
【００５３】
本実施形態におけるタイミングチャートは、図１（Ｂ）に示す実施形態１におけるタイ
ミングチャートと同様であるので、図１（Ｂ）のタイミングチャートを用いて説明する。
まずリセット期間Ｔ１において、ＬＡＴ−１がＨレベル（５Ｖ）となり、第１のリファレ
ンス用スイッチ７００３、第２のリファレンス用スイッチ７００４及び閾値セット用スイ
ッチ７００８がオンし、ノードａがＤＨの電位（３Ｖ）となり、ノードａ´がＤＬの電位
（０Ｖ）となる。また、ノードｂは補正インバータ７００８の閾値電圧（ここでは２Ｖと
する。）となる。
【００５４】
その後、続いてデータ取り込み期間Ｔ２において、ＬＡＴがＨレベル（５Ｖ）、且つＬ
ＡＴ−１がＬレベル（０Ｖ）となり、第１のデータ取り込み用スイッチ７００１及び第２
のデータ取り込み用スイッチ７００２がオンする。ＤＡＴＡがＨレベル（３Ｖ）である場
合、ノードａは３Ｖのまま変化せず、ノードａ´は０Ｖから３Ｖに変化する。そのため、
ノードｂは２Ｖから１．５Ｖ程度上昇し、３．５Ｖとなる。その結果、ノードｃはＶＳＳ
（−２Ｖ）に大きく近づく。
【００５５】
反対にＤＡＴＡがＬレベル（０Ｖ）である場合、ノードａは３Ｖから０Ｖに変化し、ノ
ードａ´は０Ｖのまま変化しない。そのため、ノードｂは２Ｖから１．５Ｖ程度下降し、
０．５Ｖ程度となる。よって、ノードｃはＶＤＤ（５Ｖ）に大きく近づく。
【００５６】
上述したとおり、本実施形態のデータラッチ回路は、電源電圧幅に対して入力信号の振
幅が小さくても、ＴＦＴの諸特性ばらつきによる影響を受けることなく、正確に動作する
ことができ、低消費電力化、高周波動作が可能となる。さらに、本実施形態のデータラッ
チ回路においては、２つのリファレンス用スイッチにそれぞれ入力される２つの基準電位
を、一方はデータ信号の最高電位（ＤＨ）に、他方は前記データ信号の最低電位（ＤＨ）
とすることによって、基準電位に用いる中間電位を特段設ける必要はなく、電源数の削減
に有効である。
【００５７】
（実施の形態４）
実施形態１〜３とは異なる構成の本発明のデータラッチ回路を図８（Ａ）に示す。
【００５８】
本実施形態のデータラッチ回路は、並列に接続されたブロックｚ及びブロックｚ´と、
前記ブロックｚ及びブロックｚ´の一方の接続部に入力端子が接続された第１の補正イン
バータ８００１と、第１の補正インバータ８００１と直列に接続されたインバータ８００
２と、第１の補正インバータ８００１の入力端子と出力端子との間に設けられた第１の閾
値セット用スイッチ８００３を有する。
【００５９】
また、ブロックｚは直列に配置された第１の取り込み用スイッチ８００４、第１の容量
手段８００８、第２の補正インバータ８０１０及び第３の容量手段８０１２と、第１の取
り込み用スイッチ８００４と第１の容量手段８００８との接続部（以下「ノードａ」とい
う。）にＤＨ（ＤＡＴＡのＨレベルと同電位）を取り込む第１のリファレンス用スイッチ
８００６と、第２の補正インバータ８０１０の入力端子と出力端子との間に設けられた第
２の閾値セット用スイッチ８０１４とを有している。ブロックｚ´は直列に配置された第
２の取り込み用スイッチ８００５、第２の容量手段８００９、第３の補正インバータ８０
１１及び第４の容量手段８０１３と、第２の取り込み用スイッチ８００５と第２の容量手
段８００９との接続部（以下「ノードａ´」という。）にＤＬ（ＤＡＴＡのＬレベルと同
電位）を取り込む第２のリファレンス用スイッチ８００７と、第３の補正インバータ８０
１１の入力端子と出力端子との間に設けられた第３の閾値セット用スイッチ８０１５とを
有する。
【００６０】
ブロックｚ及びブロックｚ´の他方の接続部、即ち第１の取り込み用スイッチ８００４
と第２の取り込み用スイッチ８００５との接続部にＤＡＴＡが入力される。第１の取り込
み用スイッチ８００４及び第２の取り込み用スイッチ８００５は、それぞれ、オン又はオ
フをＬＡＴにより制御される。第１のリファレンス用スイッチ８００６、第２のリファレ
ンス用スイッチ８００７、第２の閾値セット用スイッチ８０１４及び第３の閾値セット用
スイッチ８０１５は、それぞれ、オン又はオフをＬＡＴ−１により制御されている。
【００６１】
また、第１の補正インバータ８００１の入力端子及び出力端子と第１の閾値セット用ス
イッチ８００３との接続部を、それぞれ、「ノードｂ」、「ノードｃ」という。また、第
２の補正インバータ８０１０の入力端子及び出力端子と第２の閾値セット用スイッチ８０
１４との接続部を、それぞれ、「ノードａ２」、「ノードａ３」という。さらに、第３の
補正インバータ８０１１の入力端子及び出力端子と第３の閾値セット用スイッチ８０１５
との接続部を、それぞれ、「ノードａ２´」、「ノードａ３´」という。さらに、本実施
形態のタイミングチャートは、図１（Ｂ）に示す実施形態１のタイミングチャートと同様
であるので、図１（Ｂ）のタイミングチャートを用い、動作を説明する。
【００６２】
まず、リセット期間Ｔ１において、ＬＡＴ−１がＨレベル（ＶＤＤ）となり、ノードａ
がＤＨの電位、ノードａ´がＤＬの電位、ノードａ２及びノードａ３が第２の補正インバ
ータ８０１０の閾値電位、ノードａ２´及びノードａ３´が第３の補正インバータ８０１
１の閾値電位となる。
【００６３】
その後、続いて、データ取り込み期間Ｔ２において、ＬＡＴがＨレベル（ＶＤＤ）とな
り、ＤＡＴＡが取り込まれる。ＤＡＴＡがＨレベルの場合は、ノードａ及びノードａ２の
電位は変わらず、ノードａ´はＤＬからＨレベルとなり、ノードａ２´はＤＡＴＡの振幅
分程度上昇する。ノードａ３´はＶＳＳに大きく近づき、ノードｂの電位も下降する。よ
って、ノードｃはＶＤＤに大きく近づく。
【００６４】
反対にＤＡＴＡがＬの場合は、ノードａ´及び、ノードａ２´の電位は変わらず、ノー
ドａはＤＨからＬレベルとなり、ノードａ２はＤＡＴＡの振幅分程度下降する。ノードａ
３はＶＤＤに大きく近づき、ノードｂの電位も上昇する。よって、ノードｃはＶＳＳに大
きく近づく。
【００６５】
また、ＤＡＴＡがＨレベルの場合のノードａ２や、ＤＡＴＡがＬレベルの場合のノード
ａ２´が、ＤＡＴＡ取り込みの際のスイッチングノイズ等により変動してしまい、誤動作
してしまうような場合は、図８（Ｂ）に示すように、ノードａ２及びノードａ２´の間に
第５の容量手段８０１６を設けると良い。容量手段８０１６によって、ノードａ２及びノ
ードａ２´が同じ方向に変動し、誤動作を防ぐ。
【００６６】
上述したとおり、本実施形態のデータラッチ回路は、電源電圧幅に対して入力信号の振
幅が他の実施形態のものよりも小さくても、ＴＦＴの諸特性ばらつきによる影響を受ける
ことなく、正確に動作することができ、低消費電力化、高周波動作が可能となる。さらに
、本実施形態のデータラッチ回路においては、２つのリファレンス用スイッチにそれぞれ
入力される２つの基準電位を、一方はデータ信号の最高電位（ＤＨ）に、他方は前記デー
タ信号の最低電位（ＤＨ）とすることによって、基準電位に用いる中間電位を特段設ける
必要はなく、電源数の削減に有効である。
【００６７】
実施形態１〜４において、ここでは例として、データ取り込み用スイッチ、リファレン
ス用スイッチ、閾値セット用スイッチがＮ型ＴＦＴの場合を説明したが、電源電圧値、信
号電圧値、信号振幅によっては全てをＰ型ＴＦＴまたはＮ型ＴＦＴ及びＰ型ＴＦＴを有す
るアナログスイッチに置換してもよいし、いくつかを置換してもよい。
【００６８】
また、リセット用のパルスＬＡＴ−１は１段前のシフトレジスタからのサンプリングパ
ルスとしたが、複数段前のシフトレジスタからのサンプリングパルスでもよいし、リセッ
ト用にパルスを入力してもよい。また、全段一度にリセットしてもよい。電圧設定もまた
、これに限らない。
【実施例１】
【００６９】
ここでは、本発明のデータラッチ回路がアクティブマトリクス型表示装置に使用される
場合の構成と駆動について説明する。
【００７０】
図４に外部回路のブロック図とパネルの概略図を示す。ここでは例として、アクティブ
マトリクス型有機ＥＬ表示装置とする。
【００７１】
図４に示すように、アクティブマトリクス型表示装置は外部回路４００４及びパネル４
０１０を有する。外部回路４００４はＡ／Ｄ変換部４００１、電源部４００２及び信号生
成部４００３を有する。Ａ／Ｄ変換部４００１はアナログ信号で入力された映像データ信
号をデジタル信号に変換し、ソース信号線駆動回路４００６へ供給する。電源部４００２
はバッテリーやコンセントより供給された電源から、それぞれ所望の電圧値の電源を生成
し、ソース信号線駆動回路４００６、ゲート信号線駆動回路４００７、ＥＬ素子４０１１
、信号生成部４００３等に供給する。信号生成部４００３には、電源、映像信号及び同期
信号等が入力され、各種信号の変換を行う他、ソース信号線駆動回路４００６及びゲート
信号線駆動回路４００７を駆動するためのクロック信号等を生成する。
【００７２】
外部回路４００４からの信号及び電源はＦＰＣを通し、パネル４０１０内のＦＰＣ接続
部４００５から内部回路、ＥＬ素子４０１１等に入力される。
【００７３】
また、パネル４０１０はガラス基板４００８上に、ＦＰＣ接続部４００５、内部回路が
配置され、また、ＥＬ素子４０１１を有する。内部回路はソース信号線駆動回路４００６
、ゲート信号線駆動回路４００７及び画素部４００９を有する。
【００７４】
基板中央には画素部４００９が配置され、その周辺には、ソース信号線駆動回路４００
６及びゲート信号線駆動回路４００７が配置されている。ＥＬ素子４０１１及び、前記Ｅ
Ｌ素子の対向電極は画素部４００９全体面に形成されている。
【００７５】
より詳しく、図５にソース信号線駆動回路４００６のブロック図を示す。
【００７６】
ソース信号線駆動回路４００６はＤ−フリップフロップ（Ｄｅｌａｙｅｄ  Ｆｌｉｐ−
Ｆｌｏｐ；Ｄ−ＦＦ）５００１を複数段用いてなるシフトレジスタ５００２、データラッ
チ回路５００３、ラッチ回路５００４、レベルシフタ５００５及びバッファ５００６等を
有する。前記データラッチ回路５００３部に本発明のデータラッチ回路を用いることがで
き、実施形態に記載したいずれかのデータラッチ回路を採用することもできる。ここでは
、データラッチ回路５００３に採用した場合について説明するが、前記データラッチ回路
をラッチ回路５００４に採用してもよい。
【００７７】
入力される信号はクロック信号線（Ｓ−ＣＫ）、反転クロック信号線（Ｓ−ＣＫＢ）、
スタートパルス（Ｓ−ＳＰ）、デジタル映像信号（ＤＡＴＡ）及びラッチパルス（Ｌａｔ
ｃｈ  Ｐｕｌｓｅ）であり、また、基準電位にはデジタル映像信号の振幅の中間電位を入
力するものとする。
【００７８】
まず、クロック信号、クロック反転信号及びスタートパルスのタイミングに従って、シ
フトレジスタ５００２より、順次サンプリングパルスが出力される。サンプリングパルス
はデータラッチ回路５００４へ入力される。データラッチ回路５００４は１段前のＤ−Ｆ
Ｆ５００１から入力されたサンプリングパルスによってリセットされ、続いて、自段のＤ
−ＦＦ５００７からサンプリングパルスが入力されたタイミングで、デジタル映像信号を
取り込み、保持する。この動作が一列目から順に行われる。
【００７９】
最終段のデータラッチ回路５００３においてデジタル映像信号の保持が完了すると、水
平帰線期間中にラッチパルスが入力され、データラッチ回路５００３において保持されて
いるデジタル映像信号は一斉にラッチ回路５００４へと転送される。その後、レベルシフ
タ５００５においてレベルシフトされ、バッファ５００６において整形された後、ソース
信号線Ｓ１からＳｎへ一斉に出力される。その際、ゲート信号線駆動回路４００７によっ
て選択された行の画素へ、Ｈレベル、Ｌレベルが入力され、ＥＬ素子４０１１の発光、非
発光を制御する。
【００８０】
本実施例にて示したアクティブマトリクス型表示装置はパネル４０１０と外部回路４０
０４が独立されているが、これらを同一基板上に一体形成して作製してもよい。また、表
示装置は例として、有機ＥＬを使用したものとしたが、有機ＥＬ以外の発光素子を利用し
た発光装置でもよいし、液晶表示装置でもよい。また、ソース信号線駆動回路４００６内
にレベルシフタ５００５及びバッファ５００６が無くてもよい。
【実施例２】
【００８１】
実施例１で説明したとおり、本発明のデータラッチ回路は、様々な表示装置に用いるこ
とができ、その表示装置は様々な電子機器の表示部に用いることができる。特に低消費電
力が要求されるモバイル機器には本発明の表示装置を用いることが望ましい。
【００８２】
具体的に前記電子機器として、携帯情報機器（携帯電話、モバイルコンピュータ、携帯
型ゲーム機または電子書籍等）、ビデオカメラ、デジタルカメラ、ゴーグル型ディスプレ
イ、表示ディスプレイ、ナビゲーションシステム等が挙げられる。これら電子機器の具体
例を図９（Ａ）〜図９（Ｄ）に示す。
【００８３】
図９（Ａ）は、表示ディスプレイであり、筐体９００１、音声出力部９００２、表示部
９００３等を含む。本発明のデータラッチ回路を用いた表示装置は表示部９００３に用い
ることができる。表示装置は、パソコン用、ＴＶ放送受信用、広告表示用など全ての情報
表示装置が含まれる。
【００８４】
図９（Ｂ）はモバイルコンピュータであり、本体９１０１、スタイラス９１０２、表示
部９１０３、操作ボタン９１０４、外部インターフェイス９１０５等を含む。本発明のデ
ータラッチ回路を用いた表示装置は表示部９１０３に用いることができる。
【００８５】
図９（Ｃ）はゲーム機であり、本体９２０１、表示部９２０２、操作ボタン９２０３等
を含む。本発明のデータラッチ回路を用いた表示装置は表示部９２０２に用いることがで
きる。
【００８６】
図９（Ｄ）は携帯電話であり、本体９３０１、音声出力部９３０２、音声入力部９３０
３、表示部９３０４、操作スイッチ９３０５、アンテナ９３０６等を含む。本発明のデー
タラッチ回路を用いた表示装置は表示部９３０４に用いることができる。
【産業上の利用可能性】
【００８７】
以上のように、本発明のデータラッチ回路は、デジタルデータを取り込む全ての回路に
適用可能であり、特に表示装置の駆動回路に適している。また、本発明のデータラッチ回
路を駆動回路の一部に用いた表示装置の適用範囲は極めて広く、あらゆる分野の電子機器
に用いることが可能である。
【図１】
0005568510.tif 000002
【図２】
0005568510.tif 000003
【図３】
0005568510.tif 000004
【図４】
0005568510.tif 000005
【図５】
0005568510.tif 000006
【図６】
0005568510.tif 000007
【図７】
0005568510.tif 000008
【図８】
0005568510.tif 000009
【図９】
0005568510.tif 000010
【図１０】
0005568510.tif 000011